(57)【要約】【課題】利便性の向上が図れる表示装置を提供すること。【解決手段】表示装置３は、表示側通信部３８を介して、撮像装置２にて撮像された第１画像データを撮像装置２から受信する表示側通信制御部３９１と、表示側通信部３８を介して撮像装置２から受信した第１画像データに対応する第１画像を表示部３２に表示させる表示制御部３９２と、ユーザ操作を受け付ける入力部３１と、第１画像が表示部３２に表示されている状態で、入力部３１が撮像装置２の撮影者による第１画像の一部の領域を指定する第１のユーザ操作を受け付けた場合に、当該一部の領域に関する領域情報を生成する領域情報生成部３９４と、当該表示装置３と撮影者との位置関係を判定する関係判定部３９５とを備える。表示制御部３９２は、関係判定部３９５にて位置関係が変化したと判定された場合に、第１画像における領域情報に基づく一部の領域の指定画像を表示部３２に拡大表示させる。【選択図】図２
2018101979.tif 000002
【特許請求の範囲】
【請求項１】
表示装置において、
画像を表示する表示部と、
ユーザ操作を受け付ける操作受付部と、
前記表示部で前記画像が表示されている状態で、前記操作受付部が前記画像の一部の領域を指定する第１のユーザ操作を受け付けた場合に、当該一部の領域に関する領域情報を生成する領域情報生成部と、
ユーザと当該表示装置との位置によって前記画像における前記領域情報に基づく一部の領域の指定画像を前記表示部に拡大表示させる表示制御部とを備える
ことを特徴とする表示装置。
【請求項２】
前記表示部を観察するユーザの画像をモニタ可能なユーザ画像判定部と、
前記表示制御部は、前記ユーザ画像判定部による判定結果に基づいて、前記表示部の表示態様を変更する
ことを特徴とする請求項１に記載の表示装置。
【請求項３】
前記ユーザによる前記表示部上の指定操作を判定する判定部を有し、
前記表示制御部は、
前記判定部による判定結果に基づいて、表示画像の一部を拡大表示可能な表示態様に変更する
ことを特徴とする請求項２に記載の表示装置。
【請求項４】
当該表示装置と前記ユーザとの位置関係を判定する関係判定部と、
前記表示制御部は、前記関係判定部にて前記位置関係が変化したと判定された場合に、前記拡大表示させる
ことを特徴とする表示装置。
【請求項５】
表示装置が実行する表示方法であって、
画像を表示する表示ステップと、
ユーザ操作を受け付ける操作受付ステップと、
前記表示ステップで前記画像が表示されている状態で、前記操作受付ステップで前記画像の一部の領域を指定する第１のユーザ操作を受け付けた場合に、当該一部の領域に関する領域情報を生成する領域情報生成ステップと、
ユーザと当該表示装置との位置によって前記画像における前記領域情報に基づく一部の領域の指定画像を前記表示部に拡大表示させる表示制御ステップと、
を含むことを特徴とする表示方法。
【請求項６】
表示装置に、
画像を表示する表示ステップと、
ユーザ操作を受け付ける操作受付ステップと、
前記表示ステップで前記画像が表示されている状態で、前記操作受付ステップで前記画像の一部の領域を指定する第１のユーザ操作を受け付けた場合に、当該一部の領域に関する領域情報を生成する領域情報生成ステップと、
ユーザと当該表示装置との位置によって前記画像における前記領域情報に基づく一部の領域の指定画像を前記表示部に拡大表示させる表示制御ステップと、
を実行させることを特徴とする表示プログラム。
【発明の詳細な説明】
【技術分野】
【０００１】
本発明は、表示装置、撮像装置、撮像システム、表示方法、撮像方法、表示プログラム、及び撮像プログラムに関する。
【背景技術】
【０００２】
近年、携帯電話等の表示装置において、デジタルカメラ等の撮像装置にて撮像された画像データを、通信技術を用いて、順次、取得する技術が知られている（例えば、特許文献１参照）。
特許文献１に記載の技術は、表示装置により撮像装置を遠隔操作する技術である。
具体的に、特許文献１に記載の技術では、表示装置は、撮像装置から送信された画像データを順次、受信し、当該画像データに対応するライブビュー画像を順次、表示する。表示装置のユーザは、表示装置に表示されたライブビュー画像を確認しながら、撮像装置に撮影を実行させたいタイミングで表示装置に対して撮影操作を実行する。この撮影操作により表示装置から撮影指示が撮像装置に送信される。撮像装置は、当該撮影指示を受信した後、被写体を撮像して撮影画像データを生成し、当該撮影画像データを表示装置に送信する。
【先行技術文献】
【特許文献】
【０００３】
【特許文献１】特開２００３−２５００７９号公報
【発明の概要】
【発明が解決しようとする課題】
【０００４】
しかしながら、特許文献１に記載の技術では、表示装置のユーザが撮像装置を利用して自身を被写体に含めて撮影を行う場合には、以下に示す問題がある。
例えば、表示装置のユーザは、当該撮影により得られる撮影画像に表示装置が映り込むことが嫌な場合には、撮影画像に表示装置が映り込まないように、当該撮影画像に映り込む自身の顔（目）から離れた位置に表示装置を位置付ける。このように自身の顔から離れた位置に表示装置を位置付けた場合には、表示装置に表示されたライブビュー画像の見え方が小さくなる。このため、表示装置のユーザは、当該ライブビュー画像を確認し難いものとなり、最適なタイミングで表示装置に対して撮影操作を実行することができない。すなわち、利便性の向上が図れない、という問題がある。
【０００５】
本発明は、上記に鑑みてなされたものであって、利便性の向上が図れる表示装置、撮像装置、撮像システム、表示方法、撮像方法、表示プログラム、及び撮像プログラムを提供することを目的とする。
【課題を解決するための手段】
【０００６】
上述した課題を解決し、目的を達成するために、本発明に係る表示装置は、画像を表示する表示装置において、外部の撮像装置との間で通信を行う表示側通信部と、前記表示側通信部を介して、前記撮像装置にて撮像された第１画像データを前記撮像装置から受信する表示側通信制御部と、画像を表示する表示部と、前記表示側通信部を介して前記撮像装置から受信した前記第１画像データに対応する第１画像を前記表示部に表示させる表示制御部と、ユーザ操作を受け付ける操作受付部と、前記第１画像が前記表示部に表示されている状態で、前記操作受付部が前記撮像装置の撮影者による前記第１画像の一部の領域を指定する第１のユーザ操作を受け付けた場合に、当該一部の領域に関する領域情報を生成する領域情報生成部と、当該表示装置と前記撮影者との位置関係を判定する関係判定部とを備え、前記表示制御部は、前記関係判定部にて前記位置関係が変化したと判定された場合に、前記第１画像における前記領域情報に基づく一部の領域の指定画像を前記表示部に拡大表示させることを特徴とする。
【０００７】
また、本発明に係る撮像システムは、上述した表示装置と、前記表示装置との間で通信を行う撮像装置とを備えることを特徴とする。
【０００８】
また、本発明に係る撮像装置は、被写体を撮像する撮像装置において、被写体を撮像して第１画像データを生成する本体側撮像部と、外部の表示装置との間で通信を行う本体側通信部と、前記本体側通信部を介して、前記第１画像データを前記表示装置に送信するとともに、前記第１画像データに対応する第１画像の一部の領域に関する領域情報を前記表示装置から受信する本体側通信制御部と、前記表示装置と当該撮像装置の撮影者との位置関係を判定する関係判定部と、前記関係判定部にて前記位置関係が変化したと判定された場合に、前記第１画像データに対応する前記第１画像から前記領域情報に基づく一部の領域の指定画像を抽出し、前記指定画像に対応する指定画像データを生成する画像抽出部とを備え、前記本体側通信制御部は、前記本体側通信部を介して、前記指定画像データを前記表示装置に送信することを特徴とする。
【０００９】
また、本発明に係る撮像システムは、上述した撮像装置と、前記撮像装置との間で通信を行う表示装置とを備えることを特徴とする。
【００１０】
また、本発明に係る表示方法は、画像を表示する表示装置が行う表示方法において、外部の撮像装置から受信した第１画像データに対応する第１画像を表示する第１表示ステップと、前記第１画像を表示している状態で、前記撮像装置の撮影者による前記第１画像の一部の領域を指定する第１のユーザ操作を受け付けた場合に、当該一部の領域に関する領域情報を生成する領域情報生成ステップと、前記表示装置と前記撮影者との位置関係を判定する関係判定ステップと、前記関係判定ステップにて前記位置関係が変化したと判定した場合に、前記第１画像における前記領域情報に基づく一部の領域の指定画像を拡大表示する第２表示ステップとを含むことを特徴とする。
【００１１】
また、本発明に係る表示プログラムは、上述した表示方法を表示装置に実行させることを特徴とする。
【００１２】
また、本発明に係る撮像方法は、被写体を撮像する撮像装置が行う撮像方法において、被写体を撮像して第１画像データを生成する撮像ステップと、前記第１画像データを外部の表示装置に送信するとともに、前記第１画像データに対応する第１画像の一部の領域に関する領域情報を前記表示装置から受信する第１通信ステップと、前記表示装置と前記撮像装置の撮影者との位置関係を判定する関係判定ステップと、前記関係判定ステップにて前記位置関係が変化したと判定した場合に、前記第１画像データに対応する前記第１画像から前記領域情報に基づく一部の領域の指定画像を抽出し、前記指定画像に対応する指定画像データを生成する画像抽出ステップと、前記指定画像データを前記表示装置に送信する第２通信ステップとを含むことを特徴とする。
【００１３】
また、本発明に係る撮像プログラムは、上述した撮像方法を撮像装置に実行させることを特徴とする。
【発明の効果】
【００１４】
本発明に係る表示装置は、ライブビュー画像等の第１画像を表示している状態で、撮影者による第１のユーザ操作を受け付けた場合に、当該第１のユーザ操作に応じて指定された第１画像の一部の領域に関する領域情報を生成する。また、表示装置は、当該表示装置と撮影者との位置関係を判定する。例えば、表示装置は、撮像装置の撮影者が当該表示装置に表示された第１画像を確認しながら第１のユーザ操作を行った後、自身の顔から離れた位置に当該表示装置を位置付けると、当該表示装置と撮影者との位置関係が変化したと判定する。そして、表示装置は、第１画像における領域情報に基づく一部の領域の指定画像を拡大表示する。
このため、撮影者が撮像装置及び表示装置を利用して自身を被写体に含めて撮影を行う際、撮影画像に表示装置が映り込まないように自身の顔から離れた位置に表示装置を位置付けた場合であっても、自身で指定した領域の指定画像が表示装置に拡大表示される。すなわち、撮影者は、当該指定画像を確認しながら最適なタイミングで表示装置に対して撮影操作を実行することが可能となる。したがって、本発明に係る表示装置によれば、利便性の向上が図れる、という効果を奏する。
【００１５】
本発明に係る撮像装置は、上述した表示装置とともに利用される撮像装置であるため、上述した表示装置と同様の効果を奏する。
本発明に係る撮像システムは、上述した表示装置や、上述した撮像装置を備えるため、上述した表示装置及び撮像装置と同様の効果を奏する。
本発明に係る表示方法は、上述した表示装置が行う方法であるため、上述した表示装置と同様の効果を奏する。
本発明に係る表示プログラムは、上述した表示装置にて実行されるプログラムであるため、上述した表示装置と同様の効果を奏する。
本発明に係る撮像方法は、上述した撮像装置が行う方法であるため、上述した撮像装置と同様の効果を奏する。
本発明に係る撮像プログラムは、上述した撮像装置にて実行されるプログラムであるため、上述した撮像装置と同様の効果を奏する。
【図面の簡単な説明】
【００１６】
【図１】図１は、本発明の実施の形態１に係る撮像システムの構成を模式的に示す図である。
【図２】図２は、図１に示した撮像システムの構成を示すブロック図である。
【図３】図３は、図１に示した撮像システムの使用態様の一例を示す図である。
【図４】図４は、図１に示した撮像システムの使用態様の一例を示す図である。
【図５】図５は、図１及び図２に示した撮像装置の動作を示すフローチャートである。
【図６】図６は、図１及び図２に示した表示装置の動作を示すフローチャートである。
【図７】図７は、図６に示した位置関係判定処理（ステップＳ２１４）を示すフローチャートである。
【図８】図８は、図６に示した撮影操作判定処理（ステップＳ２１９）を示すフローチャートである。
【図９】図９は、本発明の実施の形態２に係る撮像システムの構成を示すブロック図である。
【図１０】図１０は、図９に示した撮像装置の動作を示すフローチャートである。
【図１１】図１１は、図９に示した表示装置の動作を示すフローチャートである。
【図１２】図１２は、本発明の実施の形態３に係る撮像システムの構成を示すブロック図である。
【図１３】図１３は、図１２に示した撮像装置の動作を示すフローチャートである。
【図１４】図１４は、図１２に示した表示装置の動作を示すフローチャートである。
【図１５】図１５は、本発明の実施の形態４に係る撮像システムの構成を示すブロック図である。
【図１６】図１６は、図１５に示した撮像システムの使用態様の一例を示す図である。
【図１７】図１７は、図１５に示した撮像システムの使用態様の一例を示す図である。
【図１８】図１８は、図１５に示した表示装置の動作を示すフローチャートである。
【図１９】図１９は、図１５に示した表示装置の動作を示すフローチャートである。
【図２０】図２０は、本発明の実施の形態１〜４の変形例を示す図である。
【図２１】図２１は、本発明の実施の形態１〜４の変形例を示す図である。
【発明を実施するための形態】
【００１７】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１８】
（実施の形態１）
〔撮像システムの概略構成〕
図１は、本発明の実施の形態１に係る撮像システム１の構成を模式的に示す図である。図２は、撮像システム１の構成を示すブロック図である。
撮像システム１は、図１または図２に示すように、無線通信により互いに情報の送受信を可能に接続する撮像装置２及び表示装置３と、アタッチメント４（図１）とを備え、表示装置３により撮像装置２を遠隔操作するシステムである。
なお、撮像システム１としては、無線通信に限られず、有線通信により互いに情報の送受信を可能に撮像装置２及び表示装置３を接続した構成としても構わない。
【００１９】
アタッチメント４は、撮像装置２及び表示装置３を機械的に接続する部材である。
より具体的に、アタッチメント４は、図１に示すように、表示装置３の背面に装着される。また、アタッチメント４には、平面視で円形状を有し、撮像装置２が嵌め込まれる取付用孔４Ａが設けられている。
そして、アタッチメント４を介して撮像装置２及び表示装置３が機械的に接続された状態では、撮像システム１の全体形状は、デジタルカメラをイメージする形状となる。
なお、撮像システム１としては、アタッチメント４を備えた構成に限られず、アタッチメント４を省略した構成としても構わない。
【００２０】
〔撮像装置の構成〕
以下では、撮像装置２の構成として、本発明の要部を主に説明する。
撮像装置２は、図２に示すように、光学系２１と、駆動部２２と、位置検出部２３と、操作部２４と、本体側時計部２５と、本体側撮像部２６と、本体側メモリ部２７と、本体側記録部２８と、本体側通信部２９と、本体側制御部３０とを備える。そして、これら各部材２１〜３０は、全体略円筒形状を有するレンズ鏡筒２０（図１）内部に収納される。すなわち、撮像装置２の全体形状は、図１に示すように、所謂交換レンズの全体形状と略同様の形状を有する。
【００２１】
光学系２１は、所定の視野領域から光を集光し、この集光した光を、本体側撮像部２６を構成する撮像素子（図示略）の撮像面に結像する。この光学系２１は、図２に示すように、ズームレンズ２１１と、フォーカスレンズ２１２とを備える。
ズームレンズ２１１は、一または複数のレンズを用いて構成され、図２に破線で示した光軸に沿って移動することにより、光学系２１のズーム倍率を変更する。
フォーカスレンズ２１２は、一または複数のレンズを用いて構成され、図２に破線で示した光軸に沿って移動することにより、光学系２１のピント位置及び焦点距離を変更する。
【００２２】
駆動部２２は、本体側制御部３０による制御の下、光学系２１を構成する各レンズ２１１，２１２を光軸に沿って移動させる。この駆動部２２は、図２に示すように、ズーム駆動部２２１と、フォーカス駆動部２２２とを備える。
ズーム駆動部２２１は、ステッピングモータやＤＣモータ等を用いて構成され、ズームレンズ２１１を光軸に沿って移動させる。
フォーカス駆動部２２２は、ステッピングモータやＤＣモータ等を用いて構成され、フォーカスレンズ２１２を光軸に沿って移動させる。
【００２３】
位置検出部２３は、光学系２１を構成する各レンズ２１１，２１２の光軸上の位置を検出する。この位置検出部２３は、図２に示すように、ズーム位置検出部２３１と、フォーカス位置検出部２３２とを備える。
ズーム位置検出部２３１は、フォトインタラプタ等を用いて構成され、ズーム駆動部２２１にて駆動されたズームレンズ２１１の光軸上の位置を検出する。
具体的には、ズーム位置検出部２３１は、ズーム駆動部２２１に含まれる駆動用モータの回転量をパルス数に変換し、変換したパルス数に基づいて、無限遠を基準とする基準位置からのズームレンズ２１１の光軸上の位置を検出する。
フォーカス位置検出部２３２は、フォトインタラプタ等を用いて構成され、ズーム位置検出部２３１と同様の方法により、フォーカス駆動部２２２にて駆動されたフォーカスレンズ２１２の光軸上の位置を検出する。
【００２４】
操作部２４は、レンズ鏡筒２０の周囲に設けられる操作リング、レンズ鏡筒２０の外面に設けられるボタンやスイッチ等であり、光学系２１内のズームレンズ２１１やフォーカスレンズ２１２の光軸上の位置の変更操作や、被写体の撮像を指示する撮影操作等のユーザ操作を受け付ける。そして、操作部２４は、当該ユーザ操作に応じた指示信号を本体側制御部３０に出力する。
【００２５】
本体側時計部２５は、計時機能の他、本体側撮像部２６にて撮像された日時に関する日時情報（以下、第１タイムスタンプと記載）を生成する機能を有する。そして、本体側時計部２５にて生成された第１タイムスタンプは、本体側制御部３０に出力される。
なお、タイムスタンプの生成については、機器で厳密な時刻合わせをする必要があるとは限らず、撮影時に他の機器と通信して取得するような応用が可能であることは言うまでもない。以下で記載するタイムスタンプについても同様である。
【００２６】
本体側撮像部２６は、本体側制御部３０による制御の下、被写体を撮像して画像データを生成する。この本体側撮像部２６は、光学系２１が結像した被写体像を受光して電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。そして、本体側撮像部２６にて順次、生成された画像データ（以下、ライブビュー画像データと記載）は、本体側制御部３０による制御の下、当該ライブビュー画像データが生成された日時に関する第１タイムスタンプが付加されて、順次、本体側メモリ部２７に記憶される。また、カメラユーザによる撮像装置２（操作部２４）や表示装置３への撮影操作に応じて本体側撮像部２６にて生成された画像データ（以下、撮影画像データと記載）は、当該撮影画像データが生成された日時に関する第１タイムスタンプが付加されて、本体側記録部２８に記録される。
そして、ライブビュー画像データ及び撮影画像データは、本発明に係る第１画像データに相当する。
【００２７】
本体側メモリ部２７は、本体側撮像部２６にて生成されたライブビュー画像データ（第１タイムスタンプを含む）を順次、記憶する。
本体側記録部２８は、本体側制御部３０が実行する各種プログラム（撮像プログラムを含む）や、光学系２１の倍率、焦点距離、画角、収差及びＦ値（明るさ）等の光学系２１の特性に関する特性情報等を記録する。また、本体側記録部２８は、カメラユーザによる撮像装置２（操作部２４）や表示装置３への撮影操作に応じて、本体側制御部３０による制御の下、本体側撮像部２６にて生成された撮影画像データ（第１タイムスタンプを含む）を記録する。
【００２８】
本体側通信部２９は、本体側制御部３０による制御の下、表示装置３との間で通信に必要な信号を含む各種データの無線通信を行うための通信インターフェースである。
本実施の形態１では、当該無線通信の通信方式として、Ｗｉ−Ｆｉ（Ｗｉｒｅｌｅｓｓ  Ｆｉｄｅｌｉｔｙ）（登録商標）を採用している。なお、当該無線通信の通信方式としては、Ｗｉ−Ｆｉ（登録商標）の他、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）等、他の通信方式を採用しても構わない。
例えば、Ｗｉ−Ｆｉ（登録商標）の場合、ローカルネットワークを想定し、機器の役割として、アクセスポイント、ステーションの関係があり、概略の接続処理としては、アクセスポイントが構築している無線ネットワークに、ステーションが接続する関係となる。
大まかな接続シーケンスとしては、（Ｓｔｅｐ１）アクセスポイントは、無線ネットワークを構築し、自分のネットワーク識別子（ＳＳＩＤ）を報知する、（Ｓｔｅｐ２）ステーションは、報知されているネットワーク識別子（ＳＳＩＤ）を検索し、所望のネットワーク（アクセスポイント）に接続する、というＳｔｅｐ１，２を踏み、多くの機器とのネットワークを想定するので、カバー範囲が広く、干渉の問題を考慮しながら厳密な識別ステップを踏むことになる。このため、接続確立に時間が掛かることがある。ただし、データ通信は、アクセスポイント、ステーションそれぞれのタイミングでデータの送受信が可能である。ここでは、撮像装置２をアクセスポイント、表示装置３をステーションと考えればよい。なお、この関係は逆でもよい。１０メガビット／秒以上という速度で通信することができるので画像も高速で送信することができる。
【００２９】
本体側制御部３０は、ＣＰＵ（Ｃｅｎｔｒａｌ  Ｐｒｏｃｅｓｓｉｎｇ  Ｕｎｉｔ）等を用いて構成され、操作部２４からの指示信号や、本体側通信部２９を介して入力される表示装置３からの指示信号に応じて撮像装置２全体の動作を制御する。この本体側制御部３０は、図２に示すように、本体側通信制御部３０１と、本体側撮像制御部３０２と、画像抽出部３０３とを備える。
本体側通信制御部３０１は、本体側通信部２９を介して、表示装置３との間でＷｉ−Ｆｉ（登録商標）等の通信方式による通信接続を確立する。そして、本体側通信制御部３０１は、本体側記録部２８に記録された特性情報、位置検出部２３が検出したズームレンズ２１１及びフォーカスレンズ２１２の各位置に関するレンズ位置情報、本体側メモリ部２７に記憶された最新のライブビュー画像データ（第１タイムスタンプを含む）及び最新の指定画像データ（第１タイムスタンプを含む）、本体側記録部２８に記録された最新の撮影画像データ（第１タイムスタンプを含む）を表示装置３に送信する。ここで、「最新」とは、タイムスタンプに基づく日時上、最新という意味である（以下、同様）。また、本体側通信制御部３０１は、本体側通信部２９を介して、表示装置３から、撮影指示、光学系２１の動作指示、ライブビュー画像データに対応するライブビュー画像内の一部の領域に関する領域情報、当該ライブビュー画像内の一部の領域に相当する指定画像の送信を要求する指定画像送信指示を受信する。
【００３０】
本体側撮像制御部３０２は、本体側撮像部２６に被写体を撮像させ、本体側撮像部２６にて生成されたライブビュー画像データに当該ライブビュー画像データが生成された日時に関する第１タイムスタンプを付加して、順次、本体側メモリ部２７に記憶する。また、本体側撮像制御部３０２は、カメラユーザによる操作部２４や表示装置３への撮影操作に応じて、本体側撮像部２６に被写体を撮像させ、本体側撮像部２６にて生成された撮影画像データに当該撮影画像データが生成された日時に関する第１タイムスタンプを付加して、本体側記録部２８に記録する。
【００３１】
画像抽出部３０３は、本体側通信部２９を介して領域情報及び指定画像送信指示を受信した場合に、本体側メモリ部２７に記憶された最新のライブビュー画像データを順次、読み出す。また、画像抽出部３０３は、当該ライブビュー画像データに対応するライブビュー画像から、領域情報に基づく一部の領域に相当する指定画像を順次、抽出する。そして、画像抽出部３０３は、当該抽出した指定画像に対応する指定画像データに当該指定画像の抽出に用いたライブビュー画像データの第１タイムスタンプを付加して、順次、本体側メモリ部２７に記憶する。
【００３２】
〔表示装置の構成〕
以下では、表示装置３の構成として、本発明の要部を主に説明する。
表示装置３は、例えば、デジタルカメラ、デジタルビデオカメラ、または携帯電話やタブレット型携帯機器等として構成される。この表示装置３は、図２に示すように、入力部３１と、表示部３２と、表示側時計部３３と、表示側撮像部３４と、音声データ生成部３５と、表示側メモリ部３６と、表示側記録部３７と、表示側通信部３８と、表示側制御部３９とを備える。
【００３３】
入力部３１は、ユーザ操作を受け付けるボタン、スイッチ、タッチパネル等を用いて構成され、当該ユーザ操作に応じた指示信号を表示側制御部３９に出力する。
そして、入力部３１は、本発明に係る操作受付部としての機能を有する。
表示部３２は、液晶または有機ＥＬ（Ｅｌｅｃｔｒｏ  Ｌｕｍｉｎｅｓｃｅｎｃｅ）等からなる表示パネルを用いて構成され、表示装置３の前面（図３参照）に設けられる。そして、表示部３２は、表示側制御部３９による制御の下、所定の画像を表示する。
【００３４】
表示側時計部３３は、計時機能の他、表示側撮像部３４にて撮像された日時や、音声データ生成部３５にて音声が取得された日時に関する日時情報（以下、第２タイムスタンプと記載）を生成する機能を有する。そして、表示側時計部３３にて生成された第２タイムスタンプは、表示側制御部３９に出力される。
表示側撮像部３４は、表示装置３の前面（図３参照）に設けられる。そして、表示側撮像部３４は、表示側制御部３９による制御の下、被写体を撮像して画像データ（以下、インカメラ画像データと記載）を生成する。この表示側撮像部３４は、被写体像を結像する光学系３４１（図３参照）、光学系３４１が結像した被写体像を受光して電気信号に変換するＣＣＤ等の撮像素子（図示略）、当該撮像素子からの電気信号（アナログ信号）に対して信号処理（Ａ／Ｄ変換等）を行うことによりデジタルの画像データを生成する信号処理部等を用いて構成される。そして、表示側撮像部３４にて生成されたインカメラ画像データは、表示側制御部３９による制御の下、当該インカメラ画像データが生成された日時に関する第２タイムスタンプが付加されて、表示側メモリ部３６または表示側記録部３７に記憶または記録される。
【００３５】
音声データ生成部３５は、図２に示すように、音声入力部３５１と、音声処理部３５２とを備える。
音声入力部３５１は、音声を入力して電気信号に変換するマイクロフォンを用いて構成され、表示装置３の前面（図３参照）に設けられる。
音声処理部３５２は、表示側制御部３９による制御の下、音声入力部３５１にて変換された電気信号に標本化及び量子化を施してＡ／Ｄ変換を行うことにより音声データを生成する。そして、音声処理部３５２にて生成された音声データは、表示側制御部３９による制御の下、当該音声データが生成された日時に関する第２タイムスタンプが付加されて、表示側メモリ部３６に記憶される。
【００３６】
表示側メモリ部３６は、表示側撮像部３４にて撮像されたインカメラ画像データ（第２タイムスタンプを含む）、音声データ生成部３５にて生成された音声データ（第２タイムスタンプを含む）、及び表示側通信部３８を介して撮像装置２から受信した情報を記憶する。
表示側記録部３７は、図２に示すように、プログラム記録部３７１と、画像データ記録部３７２とを備える。
プログラム記録部３７１は、表示側制御部３９が実行する各種プログラム（表示プログラムを含む）、及びプログラムの実行中に使用される各種データ等を記録する。
画像データ記録部３７２は、撮像装置２にて生成された撮影画像データ（第１タイムスタンプを含む）、及び表示側撮像部３４にて生成されたインカメラ画像データ（第２タイムスタンプを含む）を記録する。
また、表示側記録部３７には、撮像装置２と通信を行うために必要な撮像装置２の通信仕様情報が記録されている。
【００３７】
表示側通信部３８は、表示側制御部３９による制御の下、撮像装置２との間で通信に必要な信号を含む各種データの無線通信をＷｉ−Ｆｉ（登録商標）等の通信方式により行うための通信インターフェースである。
【００３８】
表示側制御部３９は、ＣＰＵ等を用いて構成され、入力部３１からの指示信号等に応じて表示装置３を構成する各部に対応する指示やデータの転送等を行って表示装置３の動作を統括的に制御する。この表示側制御部３９は、図２に示すように、表示側通信制御部３９１と、表示制御部３９２と、表示側撮像制御部３９３と、領域情報生成部３９４と、関係判定部３９５とを備える。
【００３９】
表示側通信制御部３９１は、カメラユーザによる入力部３１への操作により表示装置３がカメラ通信モード（撮像装置２を利用して被写体像を撮影するモード）に設定されている場合に、以下の処理を実行する。
具体的に、表示側通信制御部３９１は、表示側記録部３７に記録された撮像装置２の通信仕様情報に基づいて、表示側通信部３８を介して、撮像装置２との間でＷｉ−Ｆｉ（登録商標）等の通信方式による通信接続を確立する。そして、表示側通信制御部３９１は、表示側通信部３８を介して、撮像装置２から特性情報、レンズ位置情報、ライブビュー画像データ（第１タイムスタンプを含む）、撮影画像データ（第１タイムスタンプを含む）、及び指定画像データ（第１タイムスタンプを含む）等を受信する。また、表示側通信制御部３９１は、表示部３２にライブビュー画像が表示されている状態で、カメラユーザにより入力部３１に対してライブビュー画像の一部の領域を指定する領域指定操作（第１のユーザ操作）がなされた場合に、表示側通信部３８を介して、領域情報生成部３９４にて生成された領域情報を撮像装置２に送信する。さらに、表示側通信制御部３９１は、関係判定部３９５にて表示装置３とカメラユーザとの位置関係が変化したと判定された場合に、表示側通信部３８を介して、ライブビュー画像内における領域情報に基づく一部の領域に相当する指定画像の送信を要求する指定画像送信指示を撮像装置２に送信する。そして、表示側通信制御部３９１は、撮像装置２から指定画像データ（第１タイムスタンプを含む）が転送された場合に、当該指定画像データを表示側メモリ部３６に記憶させる。
【００４０】
表示制御部３９２は、表示部３２の動作を制御し、表示側メモリ部３６に記憶されたライブビュー画像データや指定画像データに対応する各画像（ライブビュー画像（第１画像）、指定画像）、画像データ記録部３７２に記録された撮影画像データに対応する撮影画像、及び各種モードの選択を促す初期画面等を表示部３２に表示させる。
【００４１】
表示側撮像制御部３９３は、表示装置３が「カメラ通信モード」に設定されている場合には、以下の処理を実行する。
具体的に、表示側撮像制御部３９３は、カメラユーザにより撮影操作が行われたか否かを判定する「撮影操作判定処理」を実行する。そして、表示側撮像制御部３９３は、撮影操作が行われたと判定した場合に、表示側通信部３８を介して、撮影を行う旨の撮影指示（当該撮影により得られた撮影画像データの転送要求も含む）を撮像装置２に送信する。また、表示側撮像制御部３９３は、撮像装置２から撮影画像データ（第１タイムスタンプを含む）が転送された場合に、当該撮影画像データを画像データ記録部３７２に記録する。
なお、「撮影操作判定処理」の詳細については、後述する表示装置３の動作を説明する際に説明する。
また、表示側撮像制御部３９３は、カメラユーザによる入力部３への光学系２１を動作（ズームレンズ２１１、フォーカスレンズ２１２の光軸上の位置を変更）させる操作に応じて、表示側通信部３８を介して、光学系２１の動作指示を撮像装置２に送信する。
【００４２】
一方、表示側撮像制御部３９３は、カメラユーザによる入力部３１への操作により表示装置３が通常撮影モード（表示側撮像部３４を利用して被写体を撮影するモード）に設定されている場合には、以下の処理を実行する。
具体的に、表示側撮像制御部３９３は、表示装置３のユーザによる入力部３１への撮影操作に応じて、表示側撮像部３４に被写体を撮像させ、表示側撮像部３４にて生成されたインカメラ画像データに当該インカメラ画像データが生成された日時に関する第２タイムスタンプを付加して、画像データ記録部３７２に記録する。
【００４３】
領域情報生成部３９４は、表示装置３が「カメラ通信モード」に設定されている場合に、以下の処理を実行する。
具体的に、領域情報生成部３９４は、表示部３２にライブビュー画像が表示されている状態で、カメラユーザによる入力部３１への領域指定操作に応じて、当該指定された領域に関する領域情報（ライブビュー画像内での領域の位置を示す座標（画素位置）等）を生成する。そして、領域情報生成部３９４は、当該生成した領域情報を表示側メモリ部３６に記憶する。
【００４４】
関係判定部３９５は、表示側撮像部３４にて生成されたインカメラ画像データや、音声データ生成部３５にて生成された音声データ等に基づいて、表示装置３とカメラユーザとの位置関係が変化したか否かを判定する「位置関係判定処理」を実行する。
なお、「位置関係判定処理」の詳細については、後述する表示装置３の動作を説明する際に説明する。
【００４５】
〔撮像システムの動作〕
次に、上述した撮像システム１の動作について説明する。
図３及び図４は、撮像システム１の使用態様の一例を示す図である。具体的に、図３は、カメラユーザＸが撮像システム１を利用して被写体Ｙ，Ｚを撮影する前に、撮像装置２を三脚５で固定し、表示装置３に表示されている画像を見ながら構図を設定している状況を示している。図４は、カメラユーザＸが構図を設定（図３）した後、表示装置３を持って被写体Ｙ，Ｚの側に行き、自身も被写体に含めて撮影を行う状況を示している。ここで、表示装置３は、撮像装置２の撮影範囲外に置かれている。
以下、撮像システム１の動作として、撮像装置２の動作、及び表示装置３の動作を順に説明する。
【００４６】
〔撮像装置の動作〕
図５は、撮像装置２の動作を示すフローチャートである。
カメラユーザによる操作部２４への操作によって撮像装置２の電源がオンになる（ステップＳ１０１：Ｙｅｓ）と、本体側撮像制御部３０２は、本体側撮像部２６に撮像を開始させる（ステップＳ１０２）。本体側撮像部２６にて生成されたライブビュー画像データ（第１タイムスタンプを含む）は、順次、本体側メモリ部２７に記憶される。
【００４７】
続いて、本体側通信制御部３０１は、本体側通信部２９を介して表示装置３との間でＷｉ−Ｆｉ（登録商標）等の通信方式による通信接続を確立しているか否かを判断する（ステップＳ１０３）。
表示装置３との間で通信接続を確立していないと判断された場合（ステップＳ１０３：Ｎｏ）には、撮像装置２は、ステップＳ１１２に移行する。
一方、表示装置３との間で通信接続を確立していると判断した場合（ステップＳ１０３：Ｙｅｓ）には、本体側通信制御部３０１は、本体側通信部２９を介して、表示装置３から指定画像送信指示を受信したか否かを判断する（ステップＳ１０４）。
【００４８】
指定画像送信指示を受信していないと判断した場合（ステップＳ１０４：Ｎｏ）には、本体側通信制御部３０１は、本体側通信部２９を介して、本体側メモリ部２７に記憶された最新のライブビュー画像データ（第１タイムスタンプを含む）を表示装置３に送信する（ステップＳ１０５）。
続いて、本体側通信制御部３０１は、本体側通信部２９を介して、表示装置３から領域情報を受信したか否かを判断する（ステップＳ１０６）。
領域情報を受信していないと判断された場合（ステップＳ１０６：Ｎｏ）には、撮像装置２は、ステップＳ１１１に移行する。
一方、領域情報を受信したと判断した場合（ステップＳ１０６：Ｙｅｓ）には、本体側通信制御部３０１は、当該領域情報を本体側メモリ部２７に記憶する（ステップＳ１０７）。ここで、本体側メモリ部２７に既に従前の領域情報が記憶されている場合には、当該領域情報は、ステップＳ１０６で受信した最新の領域情報に更新される。
【００４９】
ステップＳ１０４で指定画像送信指示を受信したと判断した場合（ステップＳ１０４：Ｙｅｓ）には、本体側通信制御部３０１は、本体側通信部２９を介して表示装置３から領域情報を受信済であるか否か（本体側メモリ部２７に領域情報が記憶されているか否か）を判断する（ステップＳ１０８）。
領域情報を未だ受信していないと判断された場合（ステップＳ１０８：Ｎｏ）には、撮像装置２は、ステップＳ１１１に移行する。
一方、領域情報を既に受信していると判断された場合（ステップＳ１０８：Ｙｅｓ）には、画像抽出部３０３は、本体側メモリ部２７に記憶された最新のライブビュー画像データ及び領域情報を読み出す。そして、画像抽出部３０３は、当該読み出した最新のライブビュー画像データに対応するライブビュー画像から、当該読み出した領域情報に基づく一部の領域に相当する指定画像を抽出する（ステップＳ１０９）。当該抽出された指定画像に対応する指定画像データは、当該指定画像の抽出に用いられたライブビュー画像データの第１タイムスタンプが付加されて本体側メモリ部２７に記憶される。
続いて、本体側通信制御部３０１は、本体側通信部２９を介して、本体側メモリ部２７に記憶された最新の指定画像データ（第１タイムスタンプを含む）を表示装置３に送信する（ステップＳ１１０）。
【００５０】
ステップＳ１１０の後、本体側通信制御部３０１は、本体側通信部２９を介して、表示装置３から撮影指示を受信したか否かを判断する（ステップＳ１１１）。なお、ステップＳ１０６で領域情報を受信していないと判断された場合（ステップＳ１０６：Ｎｏ）、ステップＳ１０７の後、及びステップＳ１０８で領域情報を未だ受信していないと判断された場合（ステップＳ１０８：Ｎｏ）でも同様のステップＳ１１１が実行される。
撮影指示を受信していないと判断された場合（ステップＳ１１１：Ｎｏ）には、本体側撮像制御部３０２は、カメラユーザによる操作部２４への撮影操作があったか否かを判断する（ステップＳ１１２）。なお、ステップＳ１０３で表示装置３との間で通信接続を確立していないと判断された場合（ステップＳ１０３：Ｎｏ）でも同様のステップＳ１１２が実行される。
一方、撮影指示を受信したと判断された場合（ステップＳ１１１：Ｙｅｓ）には、本体側撮像制御部３０２は、本体側撮像部２６に撮像を行わせる（ステップＳ１１３）。なお、ステップＳ１１２で撮影操作があったと判断された場合（ステップＳ１１２：Ｙｅｓ）でも同様のステップＳ１１３が実行される。また、ステップＳ１１２で撮影操作がないと判断された場合（ステップＳ１１２：Ｎｏ）には、撮像装置２は、ステップＳ１０１に戻る。
【００５１】
ステップＳ１１３の後、本体側撮像制御部３０２は、当該ステップＳ１１３での撮像により生成された撮影画像データを本体側記録部２８に記録する（ステップＳ１１４）。
続いて、本体側通信制御部３０１は、ステップＳ１０３と同様に、表示装置３との間で通信接続を確立しているか否かを判断する（ステップＳ１１５）。
表示装置３との間で通信接続を確立していると判断した場合（ステップＳ１１５：Ｙｅｓ）には、本体側通信制御部３０１は、本体側通信部２９を介して、本体側記録部２８に記録された最新の撮影画像データ（第１タイムスタンプを含む）を表示装置３に送信する（ステップＳ１１６）。この後、撮像装置２は、ステップＳ１０１に戻る。
一方、表示装置３との間で通信接続を確立していないと判断された場合（ステップＳ１１５：Ｎｏ）には、撮像装置２は、ステップＳ１０１に戻る。そして、図５では図示を省略したが、本体側通信制御部３０１は、ステップＳ１１６で送信する予定であった撮影画像データ（第１タイムスタンプを含む）を、表示装置３との間で通信接続を確立した段階で、表示装置３に送信する。
【００５２】
〔表示装置の動作〕
図６は、表示装置３の動作を示すフローチャートである。
なお、以下では、表示装置３は、「カメラ通信モード」に設定されているものとする。
カメラユーザによる入力部３１への操作によって表示装置３の電源がオンになる（ステップＳ２０１：Ｙｅｓ）と、表示側通信制御部３９１は、表示側通信部３８を介して、撮像装置２との間で通信接続を開始する（ステップＳ２０２）。
続いて、表示側通信制御部３９１は、表示側通信部３８を介して撮像装置２との間で通信接続を確立したか否かを判断する（ステップＳ２０３）。
撮像装置２との間で通信接続を確立していないと判断された場合（ステップＳ２０３：Ｎｏ）には、表示装置３は、ステップＳ２０１に戻る。
一方、撮像装置２との間で通信接続を確立したと判断した場合（ステップＳ２０３：Ｙｅｓ）には、表示側通信制御部３９１は、表示側通信部３８を介して、撮像装置２からライブビュー画像データ（第１タイムスタンプを含む）を受信したか否かを判断する（ステップＳ２０４）。
【００５３】
ライブビュー画像データを受信していないと判断された場合（ステップＳ２０４：Ｎｏ）には、表示装置３は、ステップＳ２１７に移行する。
一方、ライブビュー画像データを受信したと判断した場合（ステップＳ２０４：Ｙｅｓ）には、表示側通信制御部３９１は、当該受信したライブビュー画像データ（第１タイムスタンプを含む）を表示側メモリ部３６に記憶する。そして、表示制御部３９２は、表示側メモリ部３６に記憶された最新のライブビュー画像データに対応するライブビュー画像を表示部３２に表示させる（ステップＳ２０５：第１表示ステップ）。
【００５４】
例えば、表示制御部３９２は、ステップＳ２０５において、図３に示す画面Ｗ１を表示部３２に表示させる。
この画面Ｗ１には、図３に示すように、最新のライブビュー画像データに対応するライブビュー画像Ｗ１００と、指定画像の送信を要求する操作を受け付ける操作アイコンＡ１とが表示されている。
そして、カメラユーザＸは、図３に示すように、当該画面Ｗ１のライブビュー画像Ｗ１００を確認しながら、撮影する際の構図を設定することとなる。
【００５５】
続いて、表示側制御部３９は、カメラユーザによる入力部３１への領域指定操作があったか否かを判断する（ステップＳ２０６）。
領域指定操作がないと判断された場合（ステップＳ２０６：Ｎｏ）には、表示装置３は、ステップＳ２１４（位置関係判定処理）に移行する。
一方、領域指定操作があったと判断した場合（ステップＳ２０６：Ｙｅｓ）には、表示側制御部３９は、以下の処理（ステップＳ２０７〜Ｓ２１３）を実行する。
【００５６】
ここで、ステップＳ２０７〜Ｓ２１３を説明する前に、図３を例に、カメラユーザが行う領域指定操作について説明する。
カメラユーザＸは、ライブビュー画像Ｗ１００を確認しながら撮影する際の構図を設定した後、撮影する際に重要となる領域をタッチパネル（入力部３１）へのピンチ操作（領域指定操作）により指定する（図３の例では、ライブビュー画像Ｗ１００中、被写体Ｙの顔に相当する領域Ａｒ１と、被写体Ｚの顔に相当する領域Ａｒ２が指定）。また、図３の例では、カメラユーザＸは、領域指定操作を行いながら、言葉（「ここが重要」という言葉）を発している。
以上のような領域指定操作が行われることで、表示側制御部３９は、ステップＳ２０６において、領域指定操作があったと判断する。
【００５７】
ステップＳ２０６で領域指定操作があったと判断された場合（ステップＳ２０６：Ｙｅｓ）には、関係判定部３９５は、後述する「位置関係判定処理（ステップＳ２１４）」を行うために必要な情報を取得する（ステップＳ２０７〜Ｓ２１０）。
具体的に、関係判定部３９５は、表示側撮像部３４に被写体（図３の例では、カメラユーザＸ）を撮像（インカメラ撮像）させる（ステップＳ２０７）。そして、関係判定部３９５は、表示側撮像部３４にて生成されたインカメラ画像データ（以下、第１インカメラ画像データと記載）を表示側メモリ部３６に記憶する（ステップＳ２０８）。ここで、表示側メモリ部３６に既に従前の第１インカメラ画像データが記憶されている場合には、当該第１インカメラ画像データは、ステップＳ２０８で記憶された最新の第１インカメラ画像データに更新される。
続いて、関係判定部３９５は、音声処理部３５２を一定期間、動作させ、音声データ（以下、第１音声データと記載）を生成させる（ステップＳ２０９）。そして、関係判定部３９５は、音声処理部３５２にて生成された第１音声データ（図３の例では、カメラユーザＸにより発せられた言葉「ここが重要」に応じた音声データ）を表示側メモリ部３６に記憶する（ステップＳ２１０）。
【００５８】
続いて、領域情報生成部３９４は、ステップＳ２０６で領域指定操作により指定された領域に関する領域情報（ライブビュー画像内での領域の位置を示す座標（画素位置）等）を生成し（ステップＳ２１１：領域情報生成ステップ）、当該生成した領域情報を表示側メモリ部３６に記憶する（ステップＳ２１２）。ここで、表示側メモリ部３６に既に従前の領域情報が記憶されている場合には、当該領域情報は、ステップＳ２１２で記憶した最新の領域情報に更新される。そして、表示側通信制御部３９１は、表示側通信部３８を介して、表示側メモリ部３６に記憶された領域情報を撮像装置２に送信する（ステップＳ２１３）。
なお、図６では、説明の便宜上、ステップＳ２０７，Ｓ２０８の後にステップＳ２０９，Ｓ２１０を実行し、ステップＳ２０９，Ｓ２１０の後にステップＳ２１１〜Ｓ２１３を実行する手順で図示しているが、実際には、ステップＳ２０７，Ｓ２０８と、ステップＳ２０９，Ｓ２１０と、ステップＳ２１１〜Ｓ２１３とは、並行して略同時に行われるものである。
【００５９】
続いて、関係判定部３９５は、以下に示す「位置関係判定処理」を実行する（ステップＳ２１４：関係判定ステップ）。なお、ステップＳ２０６で領域指定操作がないと判断された場合（ステップＳ２０６：Ｎｏ）でも同様のステップＳ２１４が実行される。
図７は、位置関係判定処理（ステップＳ２１４）を示すフローチャートである。
関係判定部３９５は、カメラユーザによる入力部３１への手動操作（図３の例では、タッチパネル（入力部３１）への操作により、操作アイコンＡ１がタッチ）があったか否かを判断する（ステップＳ２１４Ａ）。
手動操作があったと判断した場合（ステップＳ２１４Ａ：Ｙｅｓ）には、関係判定部３９５は、表示装置３とカメラユーザとの位置関係が変化したと判定する（ステップＳ２１４Ｂ）。この後、表示装置３は、図６に示したメインルーチンに戻る。
【００６０】
一方、手動操作がないと判断した場合（ステップＳ２１４Ａ：Ｎｏ）には、関係判定部３９５は、表示側メモリ部３６に記憶された第１インカメラ画像データ及び最新のライブビュー画像データを読み出す。そして、関係判定部３９５は、ライブビュー画像データに、第１インカメラ画像データに含まれる被写体像（図３の例では、カメラユーザＸに相当する被写体像）と同一の被写体像が含まれているか否か（撮影者に相当する被写体像が含まれているか否か）を判断する（ステップＳ２１４Ｃ）。
【００６１】
例えば、図４では、カメラユーザＸは、構図を設定（図３）した後、被写体Ｙ，Ｚの側（撮像装置２の撮影範囲内）に移動している。すなわち、撮像装置２にて生成されたライブビュー画像データには、カメラユーザＸ（撮影者）に相当する被写体像が含まれることとなる。このため、関係判定部３９５は、撮影者に相当する被写体像が含まれていると判断し（ステップＳ２１４Ｃ：Ｙｅｓ）、ステップＳ２１４Ｂで表示装置３とカメラユーザとの位置関係が変化したと判定する。
【００６２】
一方、撮影者に相当する被写体像が含まれていないと判断した場合（ステップＳ２１４Ｃ：Ｎｏ）には、関係判定部３９５は、表示側撮像部３４に被写体を撮像（インカメラ撮像）させる（ステップＳ２１４Ｄ）。そして、関係判定部３９５は、表示側撮像部３４にて生成されたインカメラ画像データ（以下、第２インカメラ画像データと記載）を表示側メモリ部３６に記憶する。
続いて、関係判定部３９５は、表示側メモリ部３６に記憶された第１，第２インカメラ画像データにそれぞれ対応する第１，第２インカメラ画像を比較し、被写体像に変化があったか否か（インカメラ画像に変化があったか否か）を判断する（ステップＳ２１４Ｅ）。
【００６３】
例えば、図４では、カメラユーザＸは、構図を設定（図３）した後、表示装置３を持って被写体Ｙ，Ｚの側に移動し、当該表示装置３の前面（表示側撮像部３４の光学系３４１が設けられた面）を自身に向けて当該表示装置３を地面に置いている。すなわち、表示装置３にて生成された第２インカメラ画像データには、カメラユーザＸの他、被写体Ｙ，Ｚに相当する被写体像が含まれ、カメラユーザＸに相当する被写体像のみが含まれた第１インカメラ画像データとは異なるものとなる。このため、関係判定部３９５は、インカメラ画像に変化があったと判断し（ステップＳ２１４Ｅ：Ｙｅｓ）、ステップＳ２１４Ｂで表示装置３とカメラユーザとの位置関係が変化したと判定する。
【００６４】
一方、インカメラ画像に変化がないと判断した場合（ステップＳ２１４Ｅ：Ｎｏ）には、関係判定部３９５は、音声処理部３５２を一定期間、動作させ、音声データ（以下、第２音声データと記載）を生成させる（ステップＳ２１４Ｆ）。そして、関係判定部３９５は、音声処理部３５２にて生成された第２音声データを表示側メモリ部３６に記憶する。
続いて、関係判定部３９５は、表示側メモリ部３６に記憶された第１，第２音声データに基づく各音声（カメラユーザが発した音声）の信号レベルを比較し、第２音声データに基づく音声の信号レベルが第１音声データに基づく音声の信号レベルに対して低下したか否かを判断する（ステップＳ２１４Ｇ）。
【００６５】
例えば、図４では、カメラユーザＸは、構図を設定（図３）した後、表示装置３を持って被写体Ｙ，Ｚの側に移動し、自身から離れた位置に当該表示装置３を置いている。一方で、カメラユーザＸは、構図を設定している際には、図３に示すように、表示装置３を手に持っており、当該表示装置３に近接した状態である。すなわち、図４の状態で表示装置３にて生成された第２音声データに基づく音声（カメラユーザＸが発した音声）の信号レベルは、図３の状態で表示装置３にて生成された第１音声データに基づく音声（カメラユーザＸが発した音声「ここが重要」）の信号レベルよりも低下したものとなる。このため、関係判定部３９５は、音声の信号レベルが低下したと判断し（ステップＳ２１４Ｇ：Ｙｅｓ）、ステップＳ２１４Ｂで表示装置３とカメラユーザとの位置関係が変化したと判定する。
【００６６】
一方、音声の信号レベルが低下していないと判断した場合（ステップＳ２１４Ｇ：Ｎｏ）には、表示装置３とカメラユーザとの位置関係が変化していないと判定する（ステップＳ２１４Ｈ）。この後、表示装置３は、図６に示したメインルーチンに戻る。
【００６７】
図６に戻って、「位置関係判定処理（ステップＳ２１４）」で表示装置３とカメラユーザとの位置関係が変化していないと判定された場合（ステップＳ２１４：Ｎｏ（ステップＳ２１４Ｈ））には、表示装置３は、ステップＳ２１９（撮影操作判定処理）に移行する。
一方、「位置関係判定処理（ステップＳ２１４）」で表示装置３とカメラユーザとの位置関係が変化したと判定された場合（ステップＳ２１４：Ｙｅｓ（ステップＳ２１４Ｂ））には、表示側撮像制御部３９３は、カメラユーザにより入力部３１に対して領域指定操作が既に実施されたか否か（表示側メモリ部３６に領域情報が記憶されているか否か）を判断する（ステップＳ２１５）。
【００６８】
領域指定操作が未だ実施されていないと判断された場合（ステップＳ２１５：Ｎｏ）には、表示装置３は、ステップＳ２１９（撮影操作判定処理）に移行する。
一方、領域指定操作が既に実施されたと判断した場合（ステップＳ２１５：Ｙｅｓ）には、表示側通信制御部３９１は、表示側通信部３８を介して、撮像装置２に指定画像送信指示を送信する（ステップＳ２１６）。この後、表示装置３は、ステップＳ２１９（撮影操作判定処理）に移行する。
【００６９】
ステップＳ２０４でライブビュー画像データを受信していないと判断した場合（ステップＳ２０４：Ｎｏ）には、表示側通信制御部３９１は、表示側通信部３８を介して、撮像装置２から指定画像データ（第１タイムスタンプを含む）を受信したか否かを判断する（ステップＳ２１７）。
指定画像データを受信していないと判断された場合（ステップＳ２１７：Ｎｏ）には、表示装置３は、ステップＳ２１９（撮影操作判定処理）に移行する。
一方、指定画像データを受信したと判断した場合（ステップＳ２１７：Ｙｅｓ）には、表示側通信制御部３９１は、当該受信した指定画像データ（第１タイムスタンプを含む）を表示側メモリ部３６に記憶する。そして、表示制御部３９２は、表示側メモリ部３６に記憶された最新の指定画像データに対応する指定画像を表示部３２に拡大表示させる（ステップＳ２１８：第２表示ステップ）。この後、表示装置３は、ステップＳ２１９（撮影操作判定処理）に移行する。
【００７０】
例えば、表示制御部３９２は、ステップＳ２１８において、図４に示す画面Ｗ２を表示部３２に表示させる。
この画面Ｗ２には、図４に示すように、領域指定操作で指定された第１領域Ａｒ１（図３）に相当する第１指定画像Ｗ１０１と、領域指定操作で指定された第２領域Ａｒ２（図３）に相当する第２指定画像Ｗ１０２とが表示されている。
そして、カメラユーザＸは、図４に示すように、第１，第２指定画像Ｗ１０１，Ｗ１０２により、被写体Ｙ，Ｚの各顔を確認しながら、撮影操作を行うこととなる。
【００７１】
ステップＳ２１８の後、表示側撮像制御部３９３は、以下に示す「撮影操作判定処理」を実行する（ステップＳ２１９）。なお、ステップＳ２１４で表示装置３とカメラユーザとの位置関係が変化していないと判定された場合（ステップＳ２１４：Ｎｏ（ステップＳ２１４Ｈ）、ステップＳ２１５で領域指定操作が未だ実施されていないと判断された場合（ステップＳ２１５：Ｎｏ）、ステップＳ２１６の後、及びステップＳ２１７で指定画像データを受信していないと判断された場合（ステップＳ２１７：Ｎｏ）でも同様のステップＳ２１９が実行される。
図８は、撮影操作判定処理（ステップＳ２１９）を示すフローチャートである。
表示側撮像制御部３９３は、カメラユーザによる入力部３１への撮影を指示する手動操作（例えば、ボタンやスイッチの押下、タッチパネルへのタッチ等）があったか否かを判断する（ステップＳ２１９Ａ）。
【００７２】
手動操作があったと判断した場合（ステップＳ２１９Ａ：Ｙｅｓ）には、表示側撮像制御部３９３は、撮影操作があったと判定する（ステップＳ２１９Ｂ）。この後、表示装置３は、図６に示したメインルーチンに戻る。
一方、手動操作がないと判断した場合（ステップＳ２１９Ａ：Ｎｏ）には、表示側撮像制御部３９３は、表示側メモリ部３６に記憶された第１インカメラ画像データ及び最新のライブビュー画像データを読み出す。そして、表示側撮像制御部３９３は、ライブビュー画像データに、第１インカメラ画像データに含まれる被写体像（図３の例では、カメラユーザＸに相当する被写体像）と同一の被写体像が含まれているか否か（撮影者に相当する被写体像が含まれているか否か）を判断する（ステップＳ２１９Ｃ）。
撮影者に相当する被写体像が含まれていないと判断された場合（ステップＳ２１９Ｃ：Ｎｏ）には、表示装置３は、ステップＳ２１９Ｅに移行する。
【００７３】
例えば、図４では、上述したように、撮像装置２にて生成されたライブビュー画像データには、カメラユーザＸ（撮影者）に相当する被写体像が含まれている。このため、表示側撮像制御部３９３は、撮影者に相当する被写体像が含まれていると判断し（ステップＳ２１９Ｃ：Ｙｅｓ）、ライブビュー画像データに含まれる撮影者に相当する被写体像が特定のジェスチャー（例えば、手の指で行うＯＫサインやピースサイン等のジェスチャー）を行っているか否かを判断する（ステップＳ２１９Ｄ）。
特定のジェスチャーを行っていると判断した場合（ステップＳ２１９Ｄ：Ｙｅｓ）には、表示側撮像制御部３９３は、ステップＳ２１９Ｂで撮影操作があったと判定する。
【００７４】
一方、特定のジェスチャーを行っていないと判断した場合（ステップＳ２１９Ｄ：Ｎｏ）には、表示側撮像制御部３９３は、音声処理部３５２を一定期間、動作させ、音声データを生成させる（ステップＳ２１９Ｅ）。そして、表示側撮像制御部３９３は、音声処理部３５２にて生成された音声データを表示側メモリ部３６に記憶する。
続いて、表示側撮像制御部３９３は、表示側メモリ部３６に記憶された音声データに特定の音声（例えば、「撮影」や「チーズ」等の音声）が含まれているか否かを判断する（ステップＳ２１９Ｆ）。
【００７５】
特定の音声が含まれていると判断した場合（ステップＳ２１９Ｆ：Ｙｅｓ）には、表示側撮像制御部３９３は、ステップＳ２１９Ｂで撮影操作があったと判定する。
一方、特定の音声が含まれていないと判断した場合（ステップＳ２１９Ｆ：Ｎｏ）には、表示側撮像制御部３９３は、撮影操作がないと判定する（ステップＳ２１９Ｇ）。この後、表示装置３は、図６に示したメインルーチンに戻る。
【００７６】
図６に戻って、ステップＳ２１９で撮影操作がないと判定された場合（ステップＳ２１９：Ｎｏ（ステップＳ２１９Ｇ））には、表示装置３は、ステップＳ２０１に戻る。
一方、ステップＳ２１９で撮影操作があったと判定した場合（ステップＳ２１９：Ｙｅｓ（ステップＳ２１９Ｂ））には、表示側撮像制御部３９３は、表示側通信部３８を介して撮影指示（撮影により得られた撮影画像データの転送要求を含む）を撮像装置２に送信するとともに、撮像装置２から転送された撮影画像データ（第１タイムスタンプを含む）を画像データ記録部３７２に記録する（ステップＳ２２０）。
続いて、表示制御部３９２は、画像データ記録部３７２に記録された最新の撮影画像データに対応する撮影画像を表示部３２に表示させる（ステップＳ２２１）。この後、表示装置３は、ステップＳ２０１に戻る。
以上説明した図６〜図８に示したフローが本発明に係る表示方法に相当する。
【００７７】
以上説明した本実施の形態１に係る撮像システム１では、表示装置３は、ライブビュー画像を表示している状態で、撮影者（カメラユーザ）による領域指定操作（第１のユーザ操作）を受け付けた場合に、当該領域指定操作に応じて指定されたライブビュー画像の一部の領域に関する領域情報を生成する。また、表示装置３は、カメラユーザが表示装置３に対して領域指定操作を行い、自身の顔から離れた位置に当該表示装置３を位置付けると、当該表示装置３とカメラユーザとの位置関係が変化したと判定する。そして、表示装置３は、ライブビュー画像における領域情報に基づく一部の領域の指定画像（図４の例では、被写体Ｙ，Ｚの顔が拡大表示された第１，第２指定画像Ｗ１０１，Ｗ１０２）を拡大表示する。
このため、カメラユーザが撮像装置２及び表示装置３を利用して自身を被写体に含めて撮影を行う際、撮影画像に表示装置３が映り込まないように自身の顔から離れた位置に表示装置３を位置付けた場合であっても、自身で指定した領域の指定画像が表示装置３に拡大表示される。すなわち、カメラユーザは、当該指定画像を確認しながら最適なタイミング（図４の例では、被写体Ｙ，Ｚが撮像装置２を向いているタイミングや、被写体Ｙ，Ｚが目を閉じていないタイミング等）で表示装置３に対して撮影操作を実行することが可能となる。したがって、本実施の形態１に係る撮像システム１によれば、利便性の向上が図れる、という効果を奏する。
特に、カメラユーザは、表示装置３を確認しながら撮影操作を実行するため、撮影画像中のカメラユーザ（被写体像）がカメラ目線（撮像装置２への目線）となることがない。
【００７８】
また、本実施の形態１に係る表示装置３は、第１インカメラ画像データに含まれる被写体像と同一の被写体像がライブビュー画像データに含まれている場合、インカメラ画像に変化があった場合、及びカメラユーザが発した音声の信号レベルが低下した場合に、当該表示装置３とカメラユーザとの位置関係が変化したと判定する。
このため、画像データや音声データを利用して、表示装置３とカメラユーザとの位置関係の変化を効果的に判定することができる。
【００７９】
（実施の形態１の変形例）
上述した実施の形態１では、「位置関係判定処理（ステップＳ２１４）」として、第１インカメラ画像データに含まれる被写体像と同一の被写体像がライブビュー画像データに含まれているか否かの判定（ステップＳ２１４Ｃ）、インカメラ画像に変化があったか否かの判定（ステップＳ２１４Ｄ，Ｓ２１４Ｅ）、及びカメラユーザが発した音声の信号レベルが低下したか否かの判定（ステップＳ２１４Ｆ，Ｓ２１４Ｇ）の３つの判定を実行していたが、これに限られない。例えば、「位置関係判定処理」としては、当該３つの判定のうちいずれかの判定のみを実行する処理としても構わない。
【００８０】
上述した実施の形態１において、第１インカメラ画像データ及び第１音声データについては、上述した実施の形態１で説明したタイミング（ステップＳ２０７，Ｓ２０９）で取得する構成に限られず、予め取得しておく、すなわち、表示側記録部３７に予め記録しておくように構成しても構わない。
【００８１】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２に係る撮像システムでは、上述した実施の形態１で説明した撮像システム１に対して、表示装置３が実行していた「位置関係判定処理」を撮像装置２が実行するように構成されている。
【００８２】
〔撮像システムの構成〕
図９は、本実施の形態２に係る撮像システム１Ａを示すブロック図である。
以下、本実施の形態２に係る撮像システム１Ａを構成する撮像装置２Ａ及び表示装置３Ａの構成を順に説明する。
【００８３】
〔撮像装置の構成〕
本実施の形態２に係る撮像装置２Ａは、上述した実施の形態１で説明した撮像装置２（図２）に対して、本体側制御部３０の一部の機能が変更されている。
具体的に、本実施の形態２に係る撮像装置２Ａを構成する本体側制御部３０Ａは、図９に示すように、上述した実施の形態１で説明した本体側制御部３０に対して、本体側撮像制御部３０２及び画像抽出部３０３を備える他、本体側通信制御部３０１の一部の機能を変更した本体側通信制御部３０１Ａと、関係判定部３０４とを備える。
【００８４】
本体側通信制御部３０１Ａは、上述した実施の形態１で説明した本体側通信制御部３０１と同様の機能の他、本体側通信部２９を介して、表示装置３Ａから第１インカメラ画像データを受信する機能を有する。
関係判定部３０４は、上述した実施の形態１で説明した関係判定部３９５と略同様の機能を有する。
【００８５】
〔表示装置の構成〕
本実施の形態２に係る表示装置３Ａは、上述した実施の形態１で説明した表示装置３（図２）に対して、音声データ生成部３５が省略されているとともに（図９）、表示側制御部３９の一部の機能が変更されている。
具体的に、本実施の形態２に係る表示装置３Ａを構成する表示側制御部３９Ａは、図９に示すように、上述した実施の形態１で説明した表示側制御部３９に対して、関係判定部３９５が省略され、表示制御部３９２、表示側撮像制御部３９３、及び領域情報生成部３９４を備える他、表示側通信制御部３９１の一部の機能を変更した表示側通信制御部３９１Ａを備える。
【００８６】
表示側通信制御部３９１Ａは、上述した実施の形態１で説明した表示側通信制御部３９１に対して、表示側通信部３８を介して、指定画像送信指示を撮像装置２に送信する機能が省略されているとともに、表示側メモリ部３６に記憶された第１インカメラ画像データを撮像装置２Ａに送信する機能が追加されている。
【００８７】
〔撮像システムの動作〕
次に、本実施の形態２に係る撮像システム１Ａの動作について説明する。
以下、本実施の形態２に係る撮像システム１Ａを構成する撮像装置２Ａ及び表示装置３Ａの各動作を順に説明する。
【００８８】
〔撮像装置の動作〕
図１０は、撮像装置２Ａの動作を示すフローチャートである。
本実施の形態２に係る撮像装置２Ａの動作は、図１０に示すように、上述した実施の形態１で説明した撮像装置２の動作（図５）に対して、ステップＳ１０４を省略し、ステップＳ１１７〜Ｓ１１９を追加した点が異なるのみである。このため、以下では、ステップＳ１１７〜Ｓ１１９のみを説明する。
【００８９】
ステップＳ１１７は、ステップＳ１０３で表示装置３Ａとの間で通信接続を確立していると判断された場合（ステップＳ１０３：Ｙｅｓ）に実行される。
具体的に、関係判定部３０４は、ステップＳ１１７において、以下に示す「位置関係判定処理」を実行する。
すなわち、関係判定部３０４は、後述するステップＳ１１８，Ｓ１１９にて撮像装置２Ａから受信し表示側メモリ部３６に記憶された第１インカメラ画像データを読み出すとともに、表示側メモリ部３６に記憶された最新のライブビュー画像データを読み出す。また、関係判定部３０４は、上述した実施の形態１で説明したステップＳ２１４Ｃと同様に、ライブビュー画像データに、第１インカメラ画像データに含まれる被写体像と同一の被写体像が含まれているか否か（撮影者に相当する被写体像が含まれているか否か）を判断する。
【００９０】
そして、関係判定部３０４は、撮影者に相当する被写体像が含まれていると判断した場合には、表示装置３Ａとカメラユーザとの位置関係が変化したと判定する（ステップＳ１１７：Ｙｅｓ）。この後、表示装置３Ａは、ステップＳ１０８に移行する。
一方、関係判定部３０４は、撮影者に相当する被写体像が含まれていないと判断した場合には、表示装置３Ａとカメラユーザとの位置関係が変化していないと判定する（ステップＳ１１７：Ｎｏ）。この後、表示装置３Ａは、ステップＳ１０５に移行する。
【００９１】
ステップＳ１１８は、ステップＳ１０７の後に実行される。
具体的に、本体側通信制御部３０１Ａは、ステップＳ１１８において、本体側通信部２９を介して、表示装置３Ａから第１インカメラ画像データを受信したか否かを判断する。
第１インカメラ画像データを受信していないと判断された場合（ステップＳ１１８：Ｎｏ）には、撮像装置２Ａは、ステップＳ１１１に移行する。
一方、第１インカメラ画像データを受信したと判断した場合（ステップＳ１１８：Ｙｅｓ）には、本体側通信制御部３０１Ａは、当該第１インカメラ画像データを本体側メモリ部２７に記憶する（ステップＳ１１９）。ここで、本体側メモリ部２７に既に従前の第１インカメラ画像データが記憶されている場合には、当該第１インカメラ画像データは、ステップＳ１１９で受信した最新の第１インカメラ画像データに更新される。この後、撮像装置２Ａは、ステップＳ１１１に移行する。
以上説明した図１０に示したフローが本発明に係る撮像方法に相当する。すなわち、ステップＳ１０２は、本発明に係る撮像ステップに相当する。ステップＳ１０５〜Ｓ１０７は、本発明に係る第１通信ステップに相当する。ステップＳ１１７は、本発明に係る関係判定ステップに相当する。ステップＳ１０９は、本発明に係る画像抽出ステップに相当する。ステップＳ１１０は、本発明に係る第２通信ステップに相当する。
【００９２】
〔表示装置の動作〕
図１１は、表示装置３Ａの動作を示すフローチャートである。
本実施の形態２に係る表示装置３Ａの動作は、図１１に示すように、上述した実施の形態１で説明した表示装置３の動作（図６）に対して、ステップＳ２０９，Ｓ２１０，Ｓ２１４〜Ｓ２１６を省略し、ステップＳ２２２を追加した点が異なるのみである。このため、以下では、ステップＳ２２２のみを説明する。
【００９３】
ステップＳ２２２は、表示側制御部３９ＡにてステップＳ２０７，Ｓ２０８が実行された後に、実行される。
具体的に、表示側通信制御部３９１Ａは、ステップＳ２２２において、表示側通信部３８を介して、表示側メモリ部３６に記憶された第１インカメラ画像データを撮像装置２Ａに送信する。この後、表示装置３Ａは、ステップＳ２１１に移行する。
【００９４】
以上説明した本実施の形態２に係る撮像システム１Ａのように「位置関係判定処理」を撮像装置２Ａが実行するように構成した場合であっても、上述した実施の形態１と同様の効果を奏する。
【００９５】
（実施の形態２の変形例）
上述した実施の形態２では、「位置関係判定処理（ステップＳ１１７）」として、第１インカメラ画像データに含まれる被写体像と同一の被写体像がライブビュー画像データに含まれているか否かの判定のみを実行していたが、これに限られない。例えば、「位置関係判定処理」として、上述した実施の形態１で説明したように、インカメラ画像に変化があったか否かの判定や、カメラユーザが発した音声の信号レベルが低下したか否かの判定を実行しても構わない。
【００９６】
（実施の形態３）
次に、本発明の実施の形態３について説明する。
以下の説明では、上述した実施の形態１と同様の構成及びステップには同一符号を付し、その詳細な説明は省略または簡略化する。
本実施の形態３に係る撮像システムでは、上述した実施の形態１で説明した撮像システム１に対して、撮像装置２が実行していた指定画像を抽出する機能を表示装置３が実行するように構成されている。
【００９７】
〔撮像システムの構成〕
図１２は、本実施の形態３に係る撮像システム１Ｂを示すブロック図である。
以下、本実施の形態３に係る撮像システム１Ｂを構成する撮像装置２Ｂ及び表示装置３Ｂの構成を順に説明する。
【００９８】
〔撮像装置の構成〕
本実施の形態３に係る撮像装置２Ｂは、上述した実施の形態１で説明した撮像装置２（図２）に対して、本体側制御部３０の一部の機能が変更されている。
具体的に、本実施の形態３に係る撮像装置２Ｂを構成する本体側制御部３０Ｂは、図１２に示すように、上述した実施の形態１で説明した本体側制御部３０に対して、画像抽出部３０３が省略され、本体側撮像制御部３０２を備える他、本体側通信制御部３０１の一部の機能を変更した本体側通信制御部３０１Ｂを備える。
【００９９】
本体側通信制御部３０１Ｂは、上述した実施の形態１で説明した本体側通信制御部３０１に対して、本体側通信部２９を介して、指定画像データを撮像装置２に送信する機能、領域情報及び指定画像送信指示を撮像装置２から受信する機能が省略されている。
【０１００】
〔表示装置の構成〕
本実施の形態３に係る表示装置３Ｂは、上述した実施の形態１で説明した表示装置３（図２）に対して、表示側制御部３９Ｂの一部の機能が変更されている。
具体的に、本実施の形態３に係る表示装置３Ｂを構成する表示側制御部３９Ｂは、図１２に示すように、上述した実施の形態１で説明した表示側制御部３９Ｂに対して、表示制御部３９２、表示側撮像制御部３９３、領域情報生成部３９４、及び関係判定部３９５を備える他、画像抽出部３９６と、表示側通信制御部３９１の一部の機能を変更した表示側通信制御部３９１Ｂを備える。
【０１０１】
表示側通信制御部３９１Ｂは、上述した実施の形態１で説明した表示側通信制御部３９１に対して、表示側通信部３８を介して、指定画像データを撮像装置２Ｂから受信する機能、並びに、撮像装置２Ｂに領域情報及び指定画像送信要求を送信する機能が省略されている。
画像抽出部３９６は、上述した実施の形態１で説明した画像抽出部３０３と略同様の機能を有する。
【０１０２】
〔撮像システムの動作〕
次に、本実施の形態３に係る撮像システム１Ｂの動作について説明する。
以下、本実施の形態３に係る撮像システム１Ｂを構成する撮像装置２Ｂ及び表示装置３Ｂの各動作を順に説明する。
【０１０３】
〔撮像装置の動作〕
図１３は、撮像装置２Ｂの動作を示すフローチャートである。
本実施の形態３に係る撮像装置２Ｂの動作は、図１３に示すように、上述した実施の形態１で説明した撮像装置２の動作（図５）に対して、ステップＳ１０４，Ｓ１０６〜Ｓ１１０を省略した点が異なるのみである。
なお、ステップＳ１０４，Ｓ１０６〜Ｓ１１０の省略に伴い、ステップＳ１０３で表示装置３Ａとの間で通信接続が確立していると判断された場合（ステップＳ１０３：Ｙｅｓ）には、撮像装置２Ａは、ステップＳ１０５に移行する。そして、ステップＳ１０５の後、撮像装置２Ａは、ステップＳ１１１に移行する。
また、ステップＳ１０３で表示装置３Ａとの間で通信接続が確立していないと判断された場合（ステップＳ１０３：Ｎｏ）には、撮像装置２Ａは、ステップＳ１１２に移行する。
【０１０４】
〔表示装置の動作〕
図１４は、表示装置３Ｂの動作を示すフローチャートである。
本実施の形態４に係る表示装置３Ｂの動作は、図１４に示すように、上述した実施の形態１で説明した表示装置３の動作（図６）に対して、ステップＳ２１３，Ｓ２１６，Ｓ２１７を省略し、ステップＳ２２３を追加した点が異なるのみである。このため、以下では、ステップＳ２２３のみを説明する。
なお、ステップＳ２１３，Ｓ２１６，Ｓ２１７の省略に伴い、ステップＳ２０４でライブビュー画像データを受信していないと判断された場合（ステップＳ２０４：Ｎｏ）には、表示装置３Ｂは、ステップＳ２１４に移行する。なお、表示装置３Ｂは、ステップＳ２１２の後にも、ステップＳ２１４に移行する。
【０１０５】
ステップＳ２２３は、ステップＳ２１５で領域指定操作が既に実施されたと判断された場合（ステップＳ２１５：Ｙｅｓ）に実行される。
具体的に、画像抽出部３９６は、ステップＳ２２３において、表示側メモリ部３６に記憶された最新のライブビュー画像データ及び領域情報を読み出す。そして、画像抽出部３９６は、当該読み出した最新のライブビュー画像データに対応するライブビュー画像から、当該読み出した領域情報に基づく一部の領域に相当する指定画像を抽出する。当該抽出された指定画像に対応する指定画像データは、当該指定画像の抽出に用いられたライブビュー画像データの第１タイムスタンプが付加されて表示側メモリ部３６に記憶される。この後、表示装置３Ｂは、ステップＳ２１８に移行する。
【０１０６】
以上説明した本実施の形態３に係る撮像システム１Ｂのように表示装置３Ｂが指定画像を抽出するように構成した場合であっても、上述した実施の形態１と同様の効果を奏する。
【０１０７】
（実施の形態４）
次に、本発明の実施の形態４について説明する。
以下の説明では、上述した実施の形態１，３と同様の構成及びステップには同一符号を付し、その詳細な説明は省略または簡略化する。
本実施の形態４に係る撮像システムでは、上述した実施の形態１で説明した撮像システム１に対して、表示装置が互いに通信可能に複数、設けられ、いずれかの表示装置にて指定画像を表示するように構成されている。
【０１０８】
〔撮像システムの構成〕
図１５は、本実施の形態４に係る撮像システム１Ｃを示すブロック図である。
以下、本実施の形態４に係る撮像システム１Ｃを構成する撮像装置２Ｃ及び複数（本実施の形態４では、２つ）の表示装置３Ｃ１，３Ｃ２の構成を順に説明する。
【０１０９】
〔撮像装置の構成〕
本実施の形態４に係る撮像装置２Ｃは、上述した実施の形態３で説明した撮像装置２Ｂ（図１２）に対して、本体側制御部３０Ｂの一部の機能が変更されている。
具体的に、本実施の形態３に係る撮像装置２Ｃを構成する本体側制御部３０Ｃは、図１５に示すように、上述した実施の形態１で説明した本体側制御部３０Ｂに対して、本体側撮像制御部３０２を備える他、本体側通信制御部３０１Ｂの一部の機能を変更した本体側通信制御部３０１Ｃを備える。
【０１１０】
本体側通信制御部３０１Ｃは、上述した実施の形態３で説明した本体側通信制御部３０１Ｂと同様の機能の他、本体側通信部２９を介して、全ての表示装置３Ｃ１，３Ｃ２とそれぞれ通信接続を確立する機能を有する。そして、本体側通信制御部３０１Ｃは、全ての表示装置３Ｃ１，３Ｃ２とそれぞれ通信接続を確立した場合には、当該全ての表示装置３Ｃ１，３Ｃ２に対して、ライブビュー画像データをそれぞれ送信する。また、本体側通信制御部３０１Ｃは、撮影画像データについては、当該全ての表示装置３Ｃ１，３Ｃ２のうち、撮影指示を送信した送信元の表示装置に送信する。
【０１１１】
〔表示装置の構成〕
本実施の形態４に係る表示装置３Ｃ１，３Ｃ２は、同一の構成を有する。このため、以下では、表示装置３Ｃ１の構成について説明する。
本実施の形態４に係る表示装置３Ｃ１は、上述した実施の形態３で説明した表示装置３Ｂ（図１２）に対して、表示側制御部３９Ｂの一部の機能が変更されている。
具体的に、本実施の形態４に係る表示装置３Ｃ１を構成する表示側制御部３９Ｃは、図１５に示すように、上述した実施の形態３で説明した表示側制御部３９Ｂに対して、表示側通信制御部３９１Ｂ、表示制御部３９２、表示側撮像制御部３９３、領域情報生成部３９４、関係判定部３９５、及び画像抽出部３９６の一部の機能を変更した表示側通信制御部３９１Ｃ、表示制御部３９２Ｃ、表示側撮像制御部３９３Ｃ、領域情報生成部３９４Ｃ、関係判定部３９５Ｃ、及び画像抽出部３９６Ｃを備える。
【０１１２】
表示側通信制御部３９１Ｃは、カメラユーザによる入力部３１への操作により自身の表示装置３Ｃ１が通常通信モード（撮像装置２及び１つの表示装置３Ｃ１を利用して被写体像を撮影するモード）に設定されている場合には、上述した実施の形態３で説明した表示側通信制御部３９１Ｂがカメラ通信モード時に実行する処理と同様の処理を実行する。
一方、表示側通信制御部３９１Ｃは、カメラユーザによる入力部３１への操作により自身の表示装置３Ｃ１が別機器使用モード（撮像装置２及び２つの表示装置３Ｃ１，３Ｃ２を利用して被写体像を撮影するモード）に設定されている場合には、上述した通常通信モード時に実行する処理と同様の処理を実行する他、以下の処理を実行する。
すなわち、表示側通信制御部３９１Ｃは、表示側記録部３７に記録された他の表示装置３Ｃ２の通信仕様情報に基づいて、表示側通信部３８を介して、他の表示装置３Ｃ２との間でＷｉ−Ｆｉ（登録商標）等の通信方式による通信接続を確立する。そして、表示側通信制御部３９１Ｃは、カメラユーザによる入力部３１への操作により自身の表示装置３Ｃ１が指定画像を表示する機器（指定画像表示機器）に設定されている場合に、表示側通信部３８を介して、他の表示装置３Ｃ２にて生成された領域情報を当該他の表示装置３Ｃ２から受信する。一方、表示側通信制御部３９１Ｃは、カメラユーザによる入力部３１への操作により自身の表示装置３Ｃ１が指定画像表示機器に設定されていない（以下、指定画像非表示機器と記載）場合に、表示側通信部３８を介して、領域情報生成部３９４にて生成された領域情報を他の表示装置３Ｃ２に送信する。
【０１１３】
表示制御部３９２Ｃは、自身の表示装置３Ｃ１が「通常通信モード」に設定されている場合には、上述した実施の形態３で説明した表示制御部３９２がカメラ通信モード時に実行する処理と同様の処理を実行する。
また、表示制御部３９２Ｃは、自身の表示装置３Ｃ１が「別機器使用モード」で「指定画像表示機器」に設定されている場合には、上述した通常通信モード時に実行する処理のうち、ライブビュー画像及び撮影画像の表示処理を実行せずに、指定画像及び初期画面の表示処理を実行する。一方、表示制御部３９２Ｃは、自身の表示装置３Ｃ１が「別機器使用モード」で「指定画像非表示機器」に設定されている場合には、上述した通常通信モード時に実行する処理のうち、指定画像の表示処理を実行せずに、ライブビュー画像、撮影画像、及び初期画面の表示処理を実行する。
【０１１４】
表示側撮像制御部３９３Ｃ、領域情報生成部３９４Ｃ、及び関係判定部３９５Ｃは、自身の表示装置３Ｃ１が「通常通信モード」に設定されている場合、及び自身の表示装置３Ｃ１が「別機器使用モード」で「指定画像非表示機器」に設定されている場合に、上述した実施の形態３で説明した表示側撮像制御部３９３Ｂ、領域情報生成部３９４、及び関係判定部３９５がカメラ通信モード時に実行する各処理とそれぞれ同様の処理を実行する。すなわち、表示側撮像制御部３９３Ｃ、領域情報生成部３９４Ｃ、及び関係判定部３９５Ｃは、自身の表示装置３Ｃ１が「別機器使用モード」で「指定画像表示機器」に設定されている場合には、当該処理を実行しない。
【０１１５】
画像抽出部３９６Ｃは、自身の表示装置３Ｃ１が「通常通信モード」に設定されている場合、及び自身の表示装置３Ｃ１が「別機器使用モード」で「指定画像表示機器」に設定されている場合に、上述した実施の形態３で説明した画像抽出部３９６がカメラ通信モード時に実行する処理と同様の処理を実行する。すなわち、画像抽出部３９６Ｃは、自身の表示装置３Ｃ１が「別機器使用モード」で「指定画像非表示機器」に設定されている場合には、当該処理を実行しない。
【０１１６】
〔撮像システムの動作〕
次に、本実施の形態４に係る撮像システム１Ｃの動作について説明する。
図１６及び図１７は、撮像システム１Ｃの使用態様の一例を示す図である。具体的に、図１６は、図３に対応し、カメラユーザＸが撮像システム１Ｃを利用して被写体Ｙ，Ｚを撮影する前に、撮像装置２Ｃ及び表示装置３Ｃ１を三脚５で固定し、表示装置３Ｃ１に表示されている画像を見ながら構図を設定している状況を示している。図１７は、図４に対応し、カメラユーザＸが構図を設定（図１６）した後、表示装置３Ｃ２に表示された指定画像を確認しながら、カメラユーザＸ、被写体Ｙ，Ｚを被写体として撮影を行う状況を示している。ここで、表示装置３Ｃ２は、撮像装置２Ｃの撮影範囲外に置かれている。また、図１６及び図１７において、表示装置３Ｃ１は「別機器使用モード」で「指定画像非表示機器」に設定され、表示装置３Ｃ２は「別機器使用モード」で「指定画像表示機器」に設定されている。
なお、撮像装置２Ｃの動作は、上述した実施の形態３で説明した撮像装置２Ｂの動作と略同様である。また、２つの表示装置３Ｃ１，３Ｃ２の各動作は、同一である。このため、以下では、表示装置３Ｃ１の動作のみを説明する。
【０１１７】
〔表示装置の動作〕
図１８及び図１９は、表示装置３Ｃ１の動作を示すフローチャートである。
本実施の形態４に係る表示装置３Ｃ１の動作は、図１８及び図１９に示すように、上述した実施の形態３で説明した表示装置３Ｂの動作（図１４）に対して、ステップＳ２２４〜Ｓ２５６を追加した点が異なるのみである。このため、以下では、ステップＳ２２４〜Ｓ２５６のみを説明する。
【０１１８】
ステップＳ２２４は、ステップＳ２０１で表示装置３の電源がオンになった場合（ステップＳ２０１：Ｙｅｓ）に実行される。
具体的に、表示制御部３９２Ｃは、ステップＳ２２４において、各種モード（通常通信モード及び別機器使用モード）の選択を促す初期画面を表示部３２に表示させる。
続いて、表示側制御部３９Ｃは、カメラユーザによる入力部３１への操作により、「通常通信モード」が選択されたか否かを判断する（ステップＳ２２５）。
「通常通信モード」が選択されたと判断された場合（ステップＳ２２５：Ｙｅｓ）には、表示装置３Ｃ１は、ステップＳ２０２に移行する。
一方、「通常通信モード」が選択されていないと判断された場合（ステップＳ２２５：Ｎｏ）には、表示装置３Ｃ１は、ステップＳ２２７に移行する。
【０１１９】
ステップＳ２２６は、ステップＳ２２１の後、または、ステップＳ２１９で撮影操作がないと判定された場合（ステップＳ２１９：Ｎｏ（ステップＳ２１９Ｇ））に実行される。
具体的に、表示側制御部３９Ｃは、ステップＳ２２６において、カメラユーザによる入力部３１への初期画面の表示操作があったか否かを判断する。
初期画面の表示操作があったと判断された場合（ステップＳ２２６：Ｙｅｓ）には、表示装置３Ｃ１は、ステップＳ２０１に戻り、ステップＳ２２４で初期画面を表示する。
一方、初期画面の表示操作がないと判断された場合（ステップＳ２２６：Ｎｏ）には、表示装置３Ｃ１は、ステップＳ２０２に戻り、既に設定されたモード（通常通信モード）を継続する。なお、ステップＳ２０３で撮像装置２Ｃとの間で通信接続が確立していないと判断された場合（ステップＳ２０３：Ｎｏ）も同様に、表示装置３Ｃ１は、ステップＳ２０２に戻る。
【０１２０】
ステップＳ２２７は、ステップＳ２２５で「通常通信モード」が選択されていないと判断された場合（ステップＳ２２５：Ｎｏ）に実行される。
具体的に、表示側制御部３９Ｃは、ステップＳ２２７において、カメラユーザによる入力部３１への操作により、「別機器使用モード」が選択されたか否かを判断する。
「別機器使用モード」が選択されていないと判断された場合（ステップＳ２２７：Ｎｏ）には、表示装置３Ｃ１は、ステップＳ２０１に戻る。
一方、「別機器使用モード」が選択されたと判断された場合（ステップＳ２２７：Ｙｅｓ）には、表示側制御部３９Ｃは、カメラユーザによる入力部３１への操作により、表示装置３Ｃ１が「指定画像表示機器」に設定されたか否かを判断する（ステップＳ２２８）。
【０１２１】
「指定画像非表示機器」に設定されたと判断された場合（ステップＳ２２８：Ｎｏ）には、表示装置３Ｃ１は、通常通信モード時でのステップＳ２０２〜Ｓ２１２，Ｓ２１４，Ｓ２１５と同様のステップＳ２２９〜Ｓ２４１を実行する。
ステップＳ２４１で領域指定操作が未だ実施されていないと判断された場合（ステップＳ２４１：Ｎｏ）には、表示装置３Ｃ１は、ステップＳ２４４に移行する。
一方、ステップＳ２４１で領域指定操作が既に実施されたと判断された場合（ステップＳ２４１：Ｙｅｓ）には、表示側通信制御部３９１Ｃは、表示側通信部３８を介して、他の表示装置３Ｃ２との間で通信接続を開始し、当該通信接続を確立する（ステップＳ２４２）。
続いて、表示側通信制御部３９１Ｃは、表示側通信部３８を介して、表示側メモリ部３６に記憶された領域情報を撮像装置２Ｃに送信する（ステップＳ２４３）。
【０１２２】
続いて、表示装置３Ｃ１は、通常通信モード時でのステップＳ２１９〜Ｓ２２１，Ｓ２２６と同様のステップＳ２４４〜Ｓ２４６，Ｓ２４７を実行する。
初期画面の表示操作があったと判断された場合（ステップＳ２４７：Ｙｅｓ）には、表示装置３Ｃ１は、ステップＳ２０１に戻り、ステップＳ２２４で初期画面を表示する。
一方、初期画面の表示操作がないと判断された場合（ステップＳ２４７：Ｎｏ）には、表示装置３Ｃ１は、ステップＳ２２９に戻り、既に設定されたモード（別機器使用モード）を継続する。なお、ステップＳ２３０で撮像装置２Ｃとの間で通信接続が確立していないと判断された場合（ステップＳ２３０：Ｎｏ）も同様に、表示装置３Ｃ１は、ステップＳ２２９に戻る。
【０１２３】
ステップＳ２４８は、ステップＳ２２８で「指定画像表示機器」に設定されたと判断された場合（ステップＳ２２８：Ｙｅｓ）に実行される。
具体的に、表示側通信制御部３９１Ｃは、ステップＳ２４８において、表示側通信部３８を介して、撮像装置２Ｃ及び他の表示装置３Ｃ２との間で通信接続を開始する。
続いて、表示側通信制御部３９１Ｃは、表示側通信部３８を介して撮像装置２Ｃとの間で通信接続を確立したか否かを判断する（ステップＳ２４９）。
撮像装置２Ｃとの間で通信接続を確立していないと判断された場合（ステップＳ２４９：Ｎｏ）には、表示装置３Ｃ１は、ステップＳ２４８に戻る。
一方、撮像装置２Ｃとの間で通信接続を確立したと判断した場合（ステップＳ２４９：Ｙｅｓ）には、表示側通信制御部３９１Ｃは、表示側通信部３８を介して、撮像装置２Ｃからライブビュー画像データ（第１タイムスタンプを含む）を受信したか否かを判断する（ステップＳ２５０）。
【０１２４】
ライブビュー画像データを受信していないと判断された場合（ステップＳ２５０：Ｎｏ）には、表示装置３Ｃ１は、ステップＳ２４８に戻る。
一方、ライブビュー画像データを受信したと判断した場合（ステップＳ２５０：Ｙｅｓ）には、表示側通信制御部３９１Ｃは、表示側通信部３８を介して他の表示装置３Ｃ２との間で通信接続を確立したか否かを判断する（ステップＳ２５１）。
【０１２５】
他の表示装置３Ｃ２との間で通信接続を確立していないと判断された場合（ステップＳ２５１：Ｎｏ）には、表示装置３Ｃ１は、ステップＳ２４８に戻る。
一方、他の表示装置３Ｃ２との間で通信接続を確立したと判断した場合（ステップＳ２５１：Ｙｅｓ）には、表示側通信制御部３９１Ｃは、表示側通信部３８を介して、他の表示装置３Ｃ２から領域情報を受信したか否かを判断する（ステップＳ２５２）。
【０１２６】
領域情報を受信していないと判断された場合（ステップＳ２５２：Ｎｏ）には、表示装置２Ｃ１は、ステップＳ２４８に戻る。
一方、領域情報を受信したと判断した場合（ステップＳ２５２：Ｙｅｓ）には、表示側通信制御部３９１Ｃは、当該領域情報を表示側メモリ部３６に記憶する（ステップＳ２５３）。ここで、表示側メモリ部３６に既に従前の領域情報が記憶されている場合には、当該領域情報は、ステップＳ２５３で受信した最新の領域情報に更新される。
【０１２７】
続いて、表示装置３Ｃ１は、通常通信モード時でのステップＳ２２３，Ｓ２１８と同様のステップＳ２５４，Ｓ２５５を実行する。
続いて、表示側制御部３９Ｃは、カメラユーザによる入力部３１への初期画面の表示操作があったか否かを判断する（ステップＳ２５６）。
初期画面の表示操作があったと判断された場合（ステップＳ２５６：Ｙｅｓ）には、表示装置３Ｃ１は、ステップＳ２０１に戻り、ステップＳ２２４で初期画面を表示する。
一方、初期画面の表示操作がないと判断された場合（ステップＳ２５６：Ｎｏ）には、表示装置３Ｃ１は、ステップＳ２４８に戻り、既に設定されたモード（別機器使用モード）を継続する。
【０１２８】
図１６及び図１７の例では、表示装置３Ｃ１は、「別機器使用モード」で「指定画像非表示機器」に設定されている。このため、表示装置３Ｃ１は、図１７に示すように、当該表示装置３Ｃ１とカメラユーザＸとの位置関係が変化した場合（図１６に示した状況から図１７に示した状況への変化）であっても、指定画像を表示することはない。
一方、表示装置３Ｃ２は、「別機器使用モード」で「指定画像表示機器」に設定されている。このため、表示装置３Ｃ２は、図１７に示すように、表示装置３Ｃ１とカメラユーザＸとの位置関係が変化した場合には、カメラユーザＸによる表示装置３Ｃ１への領域指定操作に応じた一部の領域Ａｒ１，Ａｒ２（図１６）に相当する指定画像Ｗ１０１，Ｗ１０２を表示することとなる。
【０１２９】
上述した本実施の形態４に係る撮像システム１Ｃによれば、上述した実施の形態１，３と同様の効果の他、以下の効果を奏する。
すなわち、本実施の形態４に係る撮像システム１Ｃでは、表示装置３Ｃ１，３Ｃ２が互いに通信可能に複数、設けられ、いずれかの表示装置にて指定画像を表示する。
このため、カメラユーザは、アタッチメント４を利用して撮像装置２Ｃと表示装置３Ｃ１を一体化した状態で構図を設定（例えば、図１６に示した状態）した後、自身を被写体に含めて撮影を行う際、表示装置３Ｃ２から指定画像を確認すればよく、アタッチメント４から表示装置３Ｃ１を取り外す必要がない。このため、利便性の向上がさらに図れる。
【０１３０】
（その他の実施の形態）
ここまで、本発明を実施するための形態を説明してきたが、本発明は上述した実施の形態１〜４によってのみ限定されるべきものではない。
図２０及び図２１は、本実施の形態１〜４の変形例を示す図である。
上述した実施の形態１〜４では、表示装置３，３Ａ，３Ｂ，３Ｃ１，３Ｃ２は、指定画像を拡大表示する際、当該指定画像のみを画面内に表示（図４の例では、指定画像Ｗ１０１，Ｗ１０２のみを画面Ｗ２に表示）していたが、これに限られない。例えば、図２０及び図２１に示す表示装置３Ｄ（撮像システム１Ｄ）のように、領域指定操作により指定された領域Ａｒ１（図２０）に相当する指定画像Ｗ１０１（図２１）をライブビュー画像Ｗ１００に重畳した画面Ｗ３（図２１）を表示するように構成しても構わない。
このように構成すると、カメラユーザＸとは異なる別の撮影者Ｖに撮影を任せた場合であっても、当該撮影者Ｖは、画面Ｗ３により構図を確認しながら、カメラユーザＸが重要と判断した領域の指定画像Ｗ１０１も確認することができる。したがって、撮影者Ｖは、最適なタイミングで撮影操作を行うことができる。すなわち、別の撮影者Ｖに撮影を任せた場合であっても、カメラユーザＸは、自身の望む撮影画像を得ることができる。
【０１３１】
また、処理フローは、上述した実施の形態１〜４で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【０１３２】
上述した実施の形態１〜４、図２０及び図２１に示した変形例では、撮像装置２，２Ａ〜２Ｃと表示装置３，３Ａ，３Ｂ，３Ｃ１，３Ｄとを別体で構成していたが、これに限られず、撮像装置２，２Ａ〜２Ｃの機能と表示装置３，３Ａ，３Ｂ，３Ｃ１，３Ｄの機能とを一体化した表示装置として構成しても構わない。また、上述した実施の形態１〜４、図２０及び図２１に示した変形例には、以下に示す付記項に記載の発明も含まれるものである。ここで、関係判定部３９５，３９５Ｃは、付記項３に記載のユーザ画像判定部としての機能を有する。また、領域情報生成部３９４，３９４Ｃは、付記項４に記載の判定部としての機能を有する。
【０１３３】
[付記項１]
画像を表示する表示装置において、
撮像部と、
画像を表示する表示部と、
ユーザ操作を受け付ける操作受付部と、
前記撮像部にて撮像された第１画像データに対応する第１画像が前記表示部に表示されている状態で、前記操作受付部が前記第１画像の一部の領域を指定する第１のユーザ操作を受け付けた場合に、当該一部の領域に関する領域情報を生成する領域情報生成部と、
前記第１画像における前記領域情報に基づく一部の領域の指定画像を前記表示部に拡大表示させる表示制御部とを備える
ことを特徴とする表示装置。
[付記項２]
前記拡大表示は、
ユーザと当該表示装置との位置によって切り替わる
ことを特徴とする付記項１に記載の表示装置。
[付記項３]
画像を表示する表示装置において、
画像を表示する表示部と、
前記表示部を観察するユーザの画像をモニタ可能なユーザ画像判定部と、
前記ユーザ画像判定部による判定結果に基づいて、前記表示部の表示態様を変更可能な表示制御部とを備える
ことを特徴とする表示装置。
[付記項４]
前記ユーザによる前記表示部上の指定操作を判定する判定部を有し、
前記表示制御部は、
前記判定部による判定結果に基づいて、表示画像の一部を拡大表示可能な表示態様に変更する
ことを特徴とする付記項３に記載の表示装置。
[付記項５]
画像を表示する表示装置において、
撮像部と、
画像を表示する表示部と、
ユーザ操作を受け付ける操作受付部と、
前記撮像部にて撮像された第１画像データに対応する第１画像が前記表示部に表示されている状態で、前記操作受付部が前記第１画像の一部の領域を指定する第１のユーザ操作を受け付けた場合に、当該一部の領域に関する領域情報を生成する領域情報生成部と、
当該表示装置と撮影者との位置関係を判定する関係判定部と、
前記関係判定部にて前記位置関係が変化したと判定された場合に、前記第１画像における前記領域情報に基づく一部の領域の指定画像を前記表示部に拡大表示させる表示制御部とを備える
ことを特徴とする表示装置。
【符号の説明】
【０１３４】
１，１Ａ〜１Ｄ・・・撮像システム；２，２Ａ〜２Ｃ・・・撮像装置；３，３Ａ，３Ｂ，３Ｃ１，３Ｃ２，３Ｄ・・・表示装置；４・・・アタッチメント；４Ａ・・・取付用孔；５・・・三脚；２０・・・レンズ鏡筒；２１・・・光学系；２２・・・駆動部；２３・・・位置検出部；２４・・・操作部；２５・・・本体側時計部；２６・・・本体側撮像部；２７・・・本体側メモリ部；２８・・・本体側記録部；２９・・・本体側通信部；３０，３０Ａ〜３０Ｃ・・・本体側制御部；３１・・・入力部；３２・・・表示部；３３・・・表示側時計部；３４・・・表示側撮像部；３５・・・音声データ生成部；３６・・・表示側メモリ部；３７・・・表示側記録部；３８・・・表示側通信部；３９，３９Ａ〜３９Ｃ・・・表示側制御部；２１１・・・ズームレンズ；２１２・・・フォーカスレンズ；２２１・・・ズーム駆動部；２２２・・・フォーカス駆動部；２３１・・・ズーム位置検出部；２３２・・・フォーカス位置検出部；３０１，３０１Ａ〜３０１Ｃ・・・本体側通信制御部；３０２・・・本体側撮像制御部；３０３・・・画像抽出部；３０４・・・関係判定部；３４１・・・光学系；３５１・・・音声入力部；３５２・・・音声処理部；３７１・・・プログラム記録部；３７２・・・画像データ記録部；３９１，３９１Ａ〜３９１Ｃ・・・表示側通信制御部；３９２，３９２Ｃ・・・表示制御部；３９３，３９３Ｃ・・・表示側撮像制御部；３９４，３９４Ｃ・・・領域情報生成部；３９５，３９５Ｃ・・・関係判定部；３９６，３９６Ｃ・・・画像抽出部；Ａ１・・・操作アイコン；Ａｒ１，Ａｒ２・・・領域；Ｖ・・・別の撮影者；Ｗ１〜Ｗ３・・・画面；Ｗ１００・・・ライブビュー画像；Ｗ１０１，Ｗ１０２・・・指定画像；Ｘ・・・カメラユーザ；Ｙ，Ｚ・・・被写体
【図１】
2018101979.tif 000003
【図２】
2018101979.tif 000004
【図３】
2018101979.tif 000005
【図４】
2018101979.tif 000006
【図５】
2018101979.tif 000007
【図６】
2018101979.tif 000008
【図７】
2018101979.tif 000009
【図８】
2018101979.tif 000010
【図９】
2018101979.tif 000011
【図１０】
2018101979.tif 000012
【図１１】
2018101979.tif 000013
【図１２】
2018101979.tif 000014
【図１３】
2018101979.tif 000015
【図１４】
2018101979.tif 000016
【図１５】
2018101979.tif 000017
【図１６】
2018101979.tif 000018
【図１７】
2018101979.tif 000019
【図１８】
2018101979.tif 000020
【図１９】
2018101979.tif 000021
【図２０】
2018101979.tif 000022
【図２１】
2018101979.tif 000023